(57)【要約】【課題】デンタルフロスホルダーのロック機構を本体と一緒に一体成型し、構成パーツ点数を削減したデンタルフロスホルダーを提供する。【解決手段】ロール状のユニットごとに補充されるフロス糸は始端から引き出されて歯間清掃に適した形状に保持され、且つその際に必要な張力を保つためにそのロール軸の芯は外部により係合・嵌合可能な形状部分、および始端部は本体のグリップ機構により固定される。使用後消耗したフロス糸はカッターで切り離されて処分される。補充手順はロール状に巻回されたフロス糸を受け軸に差し込むだけという簡単な操作により使い勝手を向上させている。【選択図】図１
2014008401.tif 000002
【特許請求の範囲】
【請求項１】
単一のパーツにより本体が構成されるデンタルフロスホルダーにおいて、ロール状に巻回されたフロス糸の軸の開口部に差し込める受け軸が設けられ、当該受け軸に前記ロール状のフロス糸を取り付けることによりデンタルフロスホルダーに固定された状態にてフロス糸が繰り出し可能であり、当該フロスホルダー本体の一部が、フロス糸のロール軸の芯に付随もしくはそれを構成する形状箇所に係合あるいは嵌合等することによりフロス糸ロールが固定される機能を有し、繰り出されたフロス糸の導出案内手段は上記フロスホルダー本体に刻設された案内溝により構成され、フロス糸の張架部は当該フロスホルダーの、上記案内溝が刻設されたフロス糸保持用アームの先端から使用者の指先による加圧操作によりフロスホルダー本体を構成するそれぞれの一部がフロス糸を挟むことによりフロス糸の始端を保持するグリップが設けられた箇所までとする構成となしたことを特徴とするデンタルフロスホルダー。
【請求項２】
前記デンタルフロスホルダーの本体に使用済みフロス糸を切断するための専用フロス糸カッターを設けた請求項１に記載のデンタルフロスホルダー。
【発明の詳細な説明】
【技術分野】
【０００１】
本発明はデンタルフロスホルダーの設計に関するもので、特にフロス糸の補充の際の簡便性、および構造の簡易化、生産コストの削減を図る設計に関するものである。
【背景技術】
【０００２】
口内衛生を保つ手段として歯ブラシによる歯磨きに加えて他の道具の使用が広まっているが、そのうちの一つであるデンタルフロスについてはその有効性は認められるものの、その使用に当たっては細い糸を手の指に巻きつけて歯間に通して操作する必要があることから生じる不便利な点が存在する。それらの課題の解決を図った既存のフロスホルダーや糸ようじは使い捨て方式のものが多いが、消耗部分であるフロス糸のみを補充する構造を持つデンタルフロスホルダーと称されるものが、その利便性から普及し始めている。これらの従来のデンタルフロスホルダーは使用の際の機能を満たすための機構を構成するパーツ数が多く、商品として市場に提供される際のコスト高につながる可能性が存在した。又、使用者がフロス糸を補充する場合の手順に簡易化の余地を残すものである。
【先行技術文献】
【特許文献】
【０００３】
【特許文献１】登録実用新案第３１７５６３７号
【発明の概要】
【発明が解決しようとする課題】
【０００４】
フロス糸の使用の不便さが解消されうるフロスホルダーのうち、フロス糸の補充が可能なフロスホルダーについては本体とは別にフロス糸の収納および使用時の張力保持のためのロック機構を構成するために別パーツが少なくとも三つ以上見受けられ、部品点数増加に伴うコスト高につながる可能性がある。登録実用新案第３１７５６３７号の考案においても構成パーツ数の削減が図られているが二つの構成部分とそれらを連結するヒンジ等の機構により本体構成部品数の削減には限界がある。本発明はデンタルフロスホルダーの利点を有しながらその構成パーツ数を更に削減し、且つ使用方法が簡便である設計を提供するものである。
【課題を解決するための手段】
【０００５】
本発明のデンタルフロスホルダー本体は一体成型が可能な単一部品により構成される。使用されるフロス糸はロール状のユニットごとに行われ、そのロール状のフロス糸が巻回される軸の芯は外部からのロック機構が係合あるいは嵌合できるような、例えば歯車等の形状を有する部分がある。補充手順はフロス糸が巻回されている当該ロール軸を上記デンタルフロスホルダー本体に設けられている受け軸に差し込み嵌めることにより行われ、簡単な操作により使い勝手を向上させている。使用の際にロール状となったフロス糸は始端部から繰り出されて歯間清掃に適した形状に保持され、且つその際に必要な張力を保つためにフロス糸の使用部分のロール側はロール軸の芯の歯車状等の形状部分がロック機構により固定され、フロス糸の使用部分の先の始端部はフロスホルダーに備え付けられた、糸を挟みこむ機構により固定されることにより緩むことが防止される。使用後は実際に使用して消耗したフロス糸の部分のみがカッターを使用して切り離されて処分され、フロスホルダー本体は長期間複数回数使用されることにより使い捨てによる無駄も省かれる。
【発明の効果】
【０００６】
本発明のデンタルフロスホルダーは歯間清掃の為のフロス糸の形状・張力の保持のロック機構構成部がフロスホルダー本体と一体成型で製造されることが可能であり、製品の生産に関するパーツ点数の削減を図ることができ、コスト削減の可能性を有する。補充されるフロス糸のロールの軸芯は、歯車形状等の部分を有するかもしくは取り付け固定され、本体のフロス糸ロック機構が係合あるいは嵌合できる機能を有する。又、使用の際においてもフロス糸の補充がロール状のフロス糸を受け軸にはめるだけという簡単な操作により行われることにより使用に際しての手順と操作の簡易化が図られている。
【図面の簡単な説明】
【０００７】
【図１】本発明のデンタルフロスホルダーの代表的実施例を示す三面図と断面図、およびその補充用フロス糸ロール軸芯の正面図と平面図。
【図２】別型のフロス糸ロール用ロック機構を採用したデンタルフロスホルダーの代表的実施例を示す三面図と断面図、およびその補充用フロス糸ロール軸芯の正面図と平面図。
【発明を実施するための形態】
【０００８】
本発明のデンタルフロスホルダーは（図１、２の１に示される）一体成型が可能な単一のパーツにより本体が構成される。このフロスホルダー本体にロール状となったフロス糸が（図の８に示される）フロス糸用ロール軸に巻回された状態で交換ユニットとして取り付けられるために（図１、２の２に示される）受け軸が設けられる。軸（２）に取り付けられたロール状のフロス糸は使用時にその始端部が繰り出され、歯間清掃に適する形状・張力を保持するため、フロスホルダー本体固有の形状とそれを構成する固体物質固有の剛性とフロス糸と固形パーツの接触により生じる摩擦が利用される。図面に示される例においてフロス糸は歯間清掃に適する形状を保持するためアーム部（４）にある溝（５）につけられ、さらにアーム先端から（６に示される）グリップまで張架して使用される。しかる形状を保持した状態のフロス糸は、図面の例においてフロス糸用ロール軸の本体（８）の歯車状の形状を有する部分はフロスホルダーのフロス糸ロール用ロック部分であるパーツ（３）によりロックされる。図1の例においては使用者の握力による加圧操作によりロール軸（８）とロック部分（３）のそれぞれの形状が係合あるいは嵌合等することによりフロス糸ロールがロックされる。図2においては外力を加えていない状態にてフロス糸ロール（８）はロック部分（３）と係合あるいは嵌合等することによりロックされ、使用者の操作により当該部分の（３）に外力により変形を及ぼすことによりロック状態を解除してフロス糸が繰り出せる状態にされる。アーム部の溝（５）を通ったフロス糸は正面図の左端に図示されるアーム先端部からグリップ（６）まで張られて架けられ、この張架部分が歯間清掃に使用される。フロス糸の始端はグリップ（６）に挟まれ、使用者の握力による加圧操作により始端部にかかる圧力とそれに伴い生じる摩擦により動かなくなるので使用時に必要な張力が保持される。フロス糸の使用済み部分は付属の（７に示される）フロス糸カッターにより切り離されて処分される。
【実施例】
【０００９】
使用者は本発明のデンタルフロスホルダーを使用するにあたり、最初に図１、図２の双方の図面の（２）として図示されているフロス糸ロールの受け軸にロール状に巻回されたフロス糸のロールの軸芯（８）を嵌めて取り付ける。フロス糸は使用時にその始端部が繰り出され、歯間清掃に適する形状・張力を保持するため、アーム部（４）にある溝（５）につけられ、更にホルダー本体の正面図の左端に図示されるアーム先端部からグリップ（６）まで張られて架けられ、この張架部分が歯間清掃に使用される。しかる形状を保持した状態のフロス糸は、図面の例においてフロス糸ロール軸芯（８）はフロスホルダーのフロス糸ロールのロック部分である（３）に示されるパーツにより係合や嵌合等することによりロックされる。同時にフロス糸の始端はフロスホルダー本体を構成する固体物質固有の弾力性を利用してグリップ（６）に挟まれ、使用者の握力によりかかる圧力とそれに伴い生じる摩擦により動きが防止されるので使用時に必要な張力が保持される。フロス糸の使用済み部分は付属の（７に示される）フロス糸カッターにより切り離されて処分される。以上の説明により使用される、図面に示されるような製品を製造・販売し、市場に提供することが実施の一例としてあげられる。
【産業上の利用可能性】
【００１０】
本発明は、歯間清掃に供されるデンタルフロスホルダーに関し、使用時のフロス糸の形状・張力の保持機能を有し、使用者が簡便な操作手順により使用できる扱い安さとコスト削減の可能性につながる構成パーツ数の削減を提案するものである。
【符号の説明】
【００１１】
１： デンタルフロスホルダー本体
２： フロス糸ロール受け軸
３： フロス糸ロール用ロック
４： フロス糸保持用アーム
５： フロス糸保持用溝
６： フロス糸始端グリップ
７： フロス糸カッター
８： フロス糸用ロール軸
【図１】
2014008401.tif 000003
【図２】
2014008401.tif 000004